(57)【要約】【課題】  比較的大きなサイズのスクリーン面を有するものであっても風の影響で転倒することなく、屋外でも安全に使用することができる映写用スクリーン装置を提供する。【解決手段】  映写用スクリーン装置１は、スクリーン体２と、少なくとも一部に気体が充填されることで前記スクリーン体２を起立使用状態に保持するベース本体３とを有する映写用スクリーン装置であって、前記ベース本体３が、前記スクリーン体２を後面側から支持する枠体構造であるとともに、後方から前方に向かって吹く風から受ける力を、下向きに作用する力に変換することで風による転倒を防止する受風手段として受風シート６をベース本体３の背面側に備えた。【選択図】図１
2019152767.tif 000002
【特許請求の範囲】
【請求項１】
スクリーン体と、少なくとも一部に気体が充填されることで前記スクリーン体を起立使用状態に保持するベース本体とを有する映写用スクリーン装置であって、
前記ベース本体が前記スクリーン体を後面側から支持する枠体構造であるとともに、後方から前方に向かって吹く風により受ける力を下向きに作用する力に変換することで、風による前方への転倒を防止する受風手段を前記ベース本体の背面側に備えてなることを特徴とする映写用スクリーン装置。
【請求項２】
前記受風手段が、前記スクリーン体から離れるに従い低くなる傾斜面を有するものである請求項１記載の映写用スクリーン装置。
【請求項３】
前記スクリーン体及び前記受風手段が折り畳み可能又は着脱可能に構成されてなる請求項１又は２記載の映写用スクリーン装置。
【請求項４】
前記受風手段が、前記ベース本体の背面枠柱間の隙間を覆うように設けられた可撓性を有するシート状の受風シートである請求項１乃至３の何れか１項記載の映写用スクリーンシート。
【請求項５】
前記スクリーン体の起立使用状態において、前記ベース本体が倒三角柱状又は倒四角柱状の枠体構造を有し、正面部に前記スクリーン体を設けるとともに、背面側の略全面に前記受風シートを設けてなる請求項１乃至４の何れか１項記載の映写用スクリーン装置。
【請求項６】
前記スクリーン体の起立使用状態において、前記ベース本体の左右両側部の枠柱間の隙間が開放されたものである請求項５記載の映写用スクリーン装置。
【発明の詳細な説明】
【技術分野】
【０００１】
本発明は、不使用時にはベース本体の気体充填部内の気体を脱気して嵩を小さくすることができる気体充填式の映写用スクリーン装置であって、比較的大きなサイズであっても使用中に強風に煽られて転倒することなく、屋外で安全に使用することができる映写用スクリーン装置に関する。
【背景技術】
【０００２】
従来、不使用時には縮小化できる携帯スクリーンとして、広げたときにスクリーンに適する面積を有する可撓性のシートの少なくとも輪郭部に可撓性の密閉管を封入し、この密閉管の一部に空気注入口を設けたものがある（特許文献１参照）。この携帯スクリーンは、密閉管に気体が充填されて膨らむことにより、スクリーンを展開した状態に保持することができるものである。
【０００３】
また、同じくスクリーンとして、スクリーン本体と、エアチューブからなる枠状支持体とを備え、展開時には、枠状支持体がスクリーン本体を周囲から引っ張ってしわを伸ばすものがある（特許文献２の第二実施形態参照）。このスクリーンは、枠状支持体を構成する一対のロールピラー部と台座部とが給気されると、スクリーン本体を周囲から引っ張った状態で、台座部が後側から支持して自立することができるものである。
【先行技術文献】
【特許文献】
【０００４】
【特許文献１】実開昭６２−１８１９４１号公報
【特許文献２】特開２００６−５３２８９号公報
【０００５】
しかし、特許文献１及び２記載のスクリーン装置は、気体が充填されることで、起立状態のスクリーン面を有するスクリーン装置が形成されるものであり、スクリーン面を大きく形成した場合に、特に後方から前方に向かう風をスクリーン面の背面側に受けると、その風の力の作用によって装置が前方に転倒してしまう危険性があり、また、スクリーン面が大きくなればなる程、このような危険性は高くなるものであった。
【発明の概要】
【発明が解決しようとする課題】
【０００６】
本発明が前述の状況に鑑み解決しようとするところは、比較的大きなサイズのスクリーン面を有するものであっても風の影響で転倒することなく、屋外でも安全に使用することができる映写用スクリーン装置を提供する点にある。
【課題を解決するための手段】
【０００７】
本発明に係る映写用スクリーン装置は、前記課題解決のために、スクリーン体と、少なくとも一部に気体が充填されることで前記スクリーン体を起立使用状態に保持するベース本体とを有する映写用スクリーン装置であって、前記ベース本体が前記スクリーン体を後面側から支持する枠体構造であるとともに、後方から前方に向かって吹く風により受ける力を下向きに作用する力に変換することで、風による前方への転倒を防止する受風手段を前記ベース本体の背面側に備えてなることを特徴とするものである。
【０００８】
この構成によれば、スクリーン体に吹付ける風に対し、前方から後方に向かって吹く風にはベース本体がスクリーン本体を背面側から支持することで対応し、後方から前方に向かって吹く風には受風手段が力を下向きに変換して対応するため、スクリーン体に吹付ける前後からの風に対応することができ、これによって、映写用スクリーン装置として風による転倒を防止し、屋外での安全な使用を確保することができる。
【０００９】
また、前記受風手段が、前記スクリーン体から離れるに従い低くなる傾斜面を有するものものであってもよい。
【００１０】
この構成によれば、スクリーン体の後方から前方に向かって吹く風による力を、簡易な構成で、より確実に下向きに作用する力に変換することができる。
【００１１】
さらに、前記スクリーン体及び前記受風手段が折り畳み可能又は着脱可能に構成されてなるものであってもよい。
【００１２】
この構成によれば、不使用時にスクリーン体及び受風手段を含めた映写用スクリーン装置を小さく嵩張らないものとすることができ、特に運搬時や保管時において有利なものとなる。
【００１３】
さらにまた、前記受風手段が、前記ベース本体の背面枠柱間の隙間を覆うように設けられた可撓性を有するシート状の受風シートであってもよい。
【００１４】
この構成によれば、スクリーン体の後方から前方に向かって吹く風による力の大部分を下向きに作用する力に変換することができる。
【００１５】
また、前記スクリーン体の起立使用状態において、前記ベース本体が倒三角柱状又は倒四角柱状の枠体構造を有し、正面部に前記スクリーン体を設けるとともに、背面側の略全面に前記受風シートを設けてなるものであってもよい。
【００１６】
この構成によれば、広く構成しやすい正面側及び背面側の略全領域にスクリーン体及び受風シートを設けるため、効率よく広いスクリーン面及び受風シートを構成することができる。
【００１７】
さらに、前記スクリーン体の起立使用状態において、前記ベース本体の左右両側部の枠柱間の隙間が開放されたものであってもよい。
【００１８】
この構成によれば、起立使用状態において、左右方向に吹く風が映写用スクリーン装置の中を吹き抜けるため、この方向の風の影響を受け難く、転倒を更に確実に防止することができる。
【発明の効果】
【００１９】
本発明に係る映写用スクリーン装置によれば、比較的大きなサイズのスクリーン面を有するものであっても風の影響で転倒することなく、屋外でも安全に使用することができる映写用スクリーン装置を提供する。
【図面の簡単な説明】
【００２０】
【図１】本発明の実施形態に係る映写用スクリーン装置１の構成を示す後側斜視図である。
【図２】同じく映写用スクリーン装置１の構成を示す前側斜視図である。
【図３】同じく映写用スクリーン装置１の構成を示す中央縦断面図である。
【図４】本発明の別の各実施形態を示す後側斜視図であり、（ａ）は背面側を円弧状とする第二支持部５２Ａを有するもの、（ｂ）は背面側で二段階に傾斜する第二支持部５２Ｂを有するもの、（ｃ）第一支持部５１の縦枠の上下方向における中間を支持する第二支持部５２Ｃを有するものである。
【発明を実施するための形態】
【００２１】
以下、本発明の実施形態を添付図面に基づき詳細に説明するが、本発明は、添付図面に示された形態に限定されず特許請求の範囲に記載の要件を満たす実施形態の全てを含むものである。本明細書において、背面側から正面側（スクリーン面が形成された側）に向く方向を前方とし、この前方と反対方向を後方とする。また、スクリーン体の起立使用状態とは、スクリーン体が展張状態で且つ使用姿勢であることをいい、展張状態とは、スクリーン体の少なくとも一部が投影された映像等を映し出すことができる程度に展開され張られた状態をいい、使用姿勢とは、スクリーン体が使用される向きや角度にある姿勢のことをいうものとする。さらに、枠体構造とは、全体が枠体によって形成されたものに限らず、少なくとも一部がチューブ体や棒体等の枠柱で形成されたものをいうものとする。また、傾斜面とは、一方側が他方側よりも低く形成されている面であればよく、その傾斜の角度や面の形状は問わないものとする。
【００２２】
本発明に係る映写用スクリーン装置の実施形態を、図１乃至図３に沿って説明する。ここで、この映写用スクリーン装置１は、スクリーン体２を設けることで、映写用スクリーン装置として機能する状態であるが、このスクリーン体２を反射体とすることで、例えば、天然芝の球技場で太陽光を芝生に適切に当てるための反射装置として利用することもできる。
【００２３】
図１及び図２に示すように、映写用スクリーン装置１は、スクリーン体２と、少なくとも一部に気体が充填されることで前記スクリーン体２を起立使用状態に保持するベース本体３とを有する映写用スクリーン装置であって、前記ベース本体３が、前記スクリーン体２を後面側から支持する枠体構造であるとともに、後方から前方に向かって吹く風から受ける力の少なくとも一部を、下向きに作用する力に変換することで風による転倒を防止する受風手段としてシート状の受風シート６をベース本体の背面側に備えたものである。
【００２４】
スクリーン体２は、可撓性シート材よりなるものであって、起立使用状態の映写用スクリーン装置１において正面側の大部分に配置され、その形状は略横長長方形状となっている。このスクリーン体２の正面はスクリーン面２ａとして構成されているため、例えば、前方から投影された映像を前側に映し出すことができる。また、このスクリーン体２はベース本体３によって起立使用状態に保持されている。ここで、スクリーン体２は、少なくとも一部に投影された映像を映し出すことができるものであれば種々の形態のものを採用することができ、略垂直に立ち上がる平面的なものに限らず、傾斜した平面的なものであってもよく、また、立体的なものであってもよく、例えば気体を充填することによってその形状が変化するものであってよい。
【００２５】
ベース本体３は、各部に設けられた気体充填部に気体が充填されることで、図示するように、スクリーン体２を起立使用状態に保持するものである。このベース本体３は内部を気体充填部とする複数のチューブ体により構成されるものであって、これらのチューブ体に気体が充填されることによって、スクリーン体２を起立使用状態で保持するベース本体３が形成されるものとなっている。これらのチューブ体は、可撓性シート材で略円柱状に構成されるとともに、気体の充填口及び排気口が設けられている。この充填口及び排気口は別々に設けてもよいが、一体型とすることで構造をより簡易なものとしてもよい。ベース本体３を構成する全てのチューブ体の気体を抜くと、ベース本体３の全体が小さく萎むと同時に、スクリーン体２も折り畳まれ、映写用スクリーン装置１が極めて小さいものなるため、運搬や保管において有利なものとなっている。ベース本体３は、基体部４と支持部５に区分される。
【００２６】
基体部４は、ベース本体３の底面を構成するものであって、接地面を有するものである。この基体部４は、外形が横長長方形状に形成されるとともに、内側に二本の補強バーを設け、全体が略倒目の字状に形成されたものである。また、基体部４は一体的に構成され、基体部４の気体充填部も全てが連通する状態で構成されている。このため、一つの充填口から気体を充填することで、基体部４の全ての気体充填部が充填され、基体部４を使用状態に形成することができる。この構成により、横長長方形状の映写用スクリーン装置１の底面に位置する基体部４が高い剛性を有するものとなっており、装置全体がより安定するものとなっている。基体部４の上側には、スクリーン体２を支持する支持部５が連結されている。
【００２７】
支持部５は、基体部４とは別の気体充填部を備える。このため、映写用スクリーン装置１の充填・設置作業において、まず基体部４を充填し、この状態で設置場所や向きを調整して、支持部５を充填することができる。
【００２８】
また、支持部５は、スクリーン体２のスクリーン面２ａを展張状態に保持する第一支持部５１と、スクリーン体２を使用姿勢に保持する第二支持部５２とを備えてなるものである。つまり、支持部５に気体を充填した状態では、第一支持部５１がスクリーン体２のスクリーン面２ａを展張した状態とし、この展張されたスクリーン面２ａを含むスクリーン体２を、第二支持部５２によって起き上らせた使用姿勢で保持することで、スクリーン体２を起立使用状態に保持することができるものとなっている。
【００２９】
第一支持部５１は、独立した一つの気体充填部を備え、この気体充填部に気体が充填されることでスクリーン体２のスクリーン面２ａを展張状態に保持するものとなっている。この第一支持部５１は、略倒コ字状の外枠とこの外枠の内側に二本の補強部が形成されている。また、外枠の内側にはスクリーン体２の外周縁が取り付けられている。ここで、二本の補強バーは外形を形成する棒体よりも若干細くなっているため、スクリーン体２の展張の妨げとならず、且つ展張されたスクリーン体２の後側に配置されることでスクリーン体２自体の弛みを防ぐことができるものとなっている。このような構成によって、スクリーン体２のスクリーン面２ａはフラットで撓みの少ないものとして保持される。
【００３０】
第二支持部５２は、夫々独立した気体充填部を備える合計五本のチューブ体よりなるものであって、これらの気体充填部に気体が充填されることで、全てのチューブ体が棒状体に形成されてスクリーン体２を使用姿勢に保持するものとなっている。この第二支持部５２は、各棒状体が夫々独立した気体充填部を備えるものとなっているが、これらを連結して一つの気体充填部として構成してもよい。
【００３１】
上述の通り、映写用スクリーン装置１は、基体部４と、第一支持部５１と、複数の第二支持部５２，５２，…を備え、気体充填後に映写用スクリーン装置１を形成するものである。ここで、これらの各部の連結については、図示するように互いを直接的に連結することもできるし、また、各部の間に連結部材を設けて、連結強度を高くしたり、連結角度を規制したりすることもできる。第二支持部５２の背面側には受風シート６が設けられている。
【００３２】
受風シート６は、第二支持部５２の背面側に傾斜するように設けられて受風手段を形成し、映写用スクリーン装置１の後方から吹いてくる風によって受ける力を、下向きに作用する力に変換することで風による転倒を防止するものである。受風シート６は、映写用スクリーンシートの背面枠柱間の隙間を覆うように設けられているため、映写用スクリーン装置１に後方から吹付ける風を受風シート６で受け、下向きに作用する力を発生させるため、転倒し難い構成となっている。また、この受風シート６は、傾斜する第二支持部５２に沿うように貼り付けられ、略全領域が傾斜面として構成され、転倒防止の効果がより高く得られるものとなっている。さらに受風シート６は、枠体構造のベース本体３の背面側の孔を全て塞ぐように設けられ、映写用スクリーン装置１の内側（スクリーン体２の裏面側）に風が吹き込み難い構造となっており、起立使用状態において略垂直に立ち上がるスクリーン体２の裏面に強い風が当たらず、転倒する方向への力が加わり難く、高い転倒防止効果を発揮するものとなっている。なお、この受風シート６は、スクリーン体２の反対側に設けられているが、これを第二のスクリーン体として用いてもよい。つまり、受風シート６の表面の全部又は一部をスクリーン面とし、正面側はスクリーン体２への投影、背面側は受風シート６のスクリーン面への投影を行なうことで、前後に映像が表わされるものとなる。
【００３３】
ここで、受風手段６は、ベース本体３の背面に向かって吹きつける風の少なくとも一部を下方向に変換するものであれば足り、複数のシートにより構成されたものや、ベース本体３の背面側を部分的に覆うものであってもよい。また、受風手段はシート材以外によって構成されたものであってもよく、例えば、板材やチューブ状体等によって構成されたものであってもよい。  
【００３４】
図４には、別の実施形態の構成を示す。
【００３５】
図４（ａ）には、第二支持部を円弧状に形成した映写用スクリーン装置１Ａを示す。この映写用スクリーン装置１Ａは、第二支持部５２Ａを中間が外方に凸となる円弧状に形成したものであり、この第二支持部５２Ａの外側に、円弧状の第二支持部５２Ａに沿うように、受風シート６Ａを設けたものである。
【００３６】
図４（ｂ）には、第二支持部を二段階の傾斜面で形成した映写用スクリーン装置１Ｂを示す。この映写用スクリーン装置１Ｂは、第二支持部５２Ｂを中間が外方に角張った凸状となるように形成したものであり、この第二支持部５２Ｂの外側に、の第二支持部５２Ｂに沿うように、中間を曲げながら受風シート６Ｂを設けたものである。
【００３７】
図４（ｃ）には、第二支持部を第一支持部の中間に連結した映写用スクリーン装置１Ｃを示す。この映写用スクリーン装置１Ｃは、第二支持部５２Ｃが第一支持部５１の中間を支持するものであり、この第二支持部５２Ｃの外側に、第二支持部５２Ｃから離間して、第一支持部５１の上端部から第二支持部５２Ｃの後端部に亘り受風シート６Ｃを設けたものである。
【符号の説明】
【００３８】
１,１Ａ,１Ｂ,１Ｃ    映写用スクリーン装置
２     スクリーン体
２ａ   スクリーン面
３     ベース本体
４     基体部
５     支持部
６,６Ａ,６Ｂ,６Ｃ    受風シート
５１   第一支持部
５２,５２Ａ,５２Ｂ,５２Ｃ   第二支持部
【図１】
2019152767.tif 000003
【図２】
2019152767.tif 000004
【図３】
2019152767.tif 000005
【図４】
2019152767.tif 000006